(57)【要約】【課題】収納装置の筐体内への配置のし易さを向上させることを課題とする。【解決手段】収納装置は、筐体に設けられた被収納体収納部に収納された被収納体を保持するとともに、前記被収納体収納部から前記被収納体を排出する。収納装置は、筐体内に被収納体の収納方向及び排出方向に移動可能に配置され、被収納体収納部に収納された被収納体と係合する被収納体係合部を備えた移動部材、被収納体収納部に収納された被収納体の軸線とずらして配置され、移動部材を被収納体の排出方向に付勢する第１弾性部材、被収納体収納部の被収納体挿入口の開口径を変化させ、被収納体を保持するとともに被収納体の排出を許容する保持部材と、保持部材を被収納体挿入口の開口径を狭める方向へ付勢する第２弾性部材と、を備える。【選択図】図３
2014016718.tif 000002
【特許請求の範囲】
【請求項１】
筐体に設けられた被収納体収納部に収納された被収納体を保持するとともに、前記被収納体収納部から前記被収納体を排出する収納装置であって、
前記筐体内に前記被収納体の収納方向及び排出方向に移動可能に配置され、前記被収納体収納部に収納された前記被収納体と係合する被収納体係合部を備えた移動部材と、
前記被収納体収納部に収納された前記被収納体の軸線とずらして配置され、前記移動部材を前記被収納体の排出方向に付勢する第１弾性部材と、
前記被収納体収納部の被収納体挿入口の開口径を変化させ、前記被収納体を保持するとともに前記被収納体の排出を許容する保持部材と、
前記保持部材を前記被収納体挿入口の前記開口径を狭める方向へ付勢する第２弾性部材と、
を備えた収納装置。
【請求項２】
前記第１弾性部材は、前記被収納体収納部の側方に配置される請求項１に記載の収納装置。
【請求項３】
前記第１弾性部材は、前記被収納体の軸線と異なる軸線上に配置された請求項１又は２に記載の収納装置。
【請求項４】
前記移動部材は、前記筐体内に設けられた支持部に支持されるとともに、前記被収納体の軸線と平行に設けられたシャフト部を備える請求項１乃至３のいずれか一項に記載の収納装置。
【請求項５】
前記移動部材は、前記筐体内に設けられた支持部に支持されるとともに、前記被収納体の軸線と平行に設けられたシャフト部と、前記シャフト部に設けられた鍔状部を備え、前記支持部と前記鍔状部との間に前記第１弾性部材を挟持させた請求項１乃至３のいずれか一項に記載の収納装置。
【発明の詳細な説明】
【技術分野】
【０００１】
本発明は、収納装置に関する。
【背景技術】
【０００２】
従来、筐体内に被収納体、例えば、ペンを収納する機構が種々知られている。例えば、ペン型入力部材を収納する筐体と、この筐体内に収納されかつこの筐体内に収納されたペン型入力部材を収納方向とは逆方向に付勢する付勢部材を備えたペン収納機構が知られている（特許文献１参照）。
【先行技術文献】
【特許文献】
【０００３】
【特許文献１】特開平８−１４７０８８号公報
【発明の概要】
【発明が解決しようとする課題】
【０００４】
前記従来のペン収納機構は、付勢部材（スプリング）を直接被収納体となるペン型入力部材（以下、単にペンという）の先端部に当接させている。このような付勢部材は、ペンが収納される筐体において、ペンの収納スペースのさらに奥側に配置されている。しかしながら、ペンの収納スペースの奥側にバッテリー、ＨＤＤ（ハードディスクドライブ）といった部品が配置されていたり、筐体内の構造部が配置されていたりすると、付勢部材を配置することが困難となり、結果としてペン収納機構を筐体に配置できなくなる可能性がある。特に筐体が小型化したり、筐体内に配置される部品点数が増加したりすると、上記のようなペン収納機構の配置の問題は顕著となる。
【０００５】
そこで、本明細書開示の収納装置は、収納装置の筐体内への配置のし易さを向上させることを課題とする。
【課題を解決するための手段】
【０００６】
本明細書開示の収納装置は、筐体に設けられた被収納体収納部に収納された被収納体を保持するとともに、前記被収納体収納部から前記被収納体を排出する収納装置であって、前記筐体内に前記被収納体の収納方向及び排出方向に移動可能に配置され、前記被収納体収納部に収納された前記被収納体と係合する被収納体係合部を備えた移動部材と、前記被収納体収納部に収納された前記被収納体の軸線とずらして配置され、前記移動部材を前記被収納体の排出方向に付勢する第１弾性部材と、前記被収納体収納部の被収納体挿入口の開口径を変化させ、前記被収納体を保持するとともに前記被収納体の排出を許容する保持部材と、前記保持部材を前記被収納体挿入口の前記開口径を狭める方向へ付勢する第２弾性部材と、を備える。
【０００７】
前記第１弾性部材は、前記被収納体の軸線とずらして配置されているため、被収納体収納部よりもさらに奥側に部品や構造物が存在している場合であっても、収納装置を筐体内に納めることができる。
【発明の効果】
【０００８】
本明細書開示の収納装置は、収納装置の筐体内への配置のし易さを向上させることができる。
【図面の簡単な説明】
【０００９】
【図１】図１は実施形態のペン収納装置を備えた電子装置の一例を示す斜視図である。
【図２】図２は実施形態のペン収納装置が組み込まれた電子装置の分解図である。
【図３】図３は実施形態のペン収納装置が組み込まれた電子装置のアッパーカバーを取り外した状態を示す説明図である。
【図４】図４（Ａ）〜（Ｆ）は実施形態のペン収納装置が備える移動部材の６面図である。
【図５】図５（Ａ）〜（Ｆ）は実施形態のペン収納装置が備える保持部材の６面図である。
【図６】図６（Ａ）は実施形態のペン収納装置が組み込まれた電子装置の平面図であり、図６（Ｂ）は、右側面図である。
【図７】図７は図６（Ａ）におけるＡ−Ａ線断面図である。
【図８】図８（Ａ）は図６（Ａ）におけるＢ−Ｂ線断面図であり、図８（Ｂ）は図８（Ａ）における円で囲んだ部分を拡大して示した図である。
【図９】図９（Ａ）はペン収納部にペンが収納された状態を示し、図９（Ｂ）はペン収納部からペンが排出された状態を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されている場合がある。また、以下の説明において、収納方向及び排出方向、さらに、狭径方向及び拡径方向は図３に示す方向とする。なお、以下の説明では、被収納体をペンとしたペン収納装置について説明する。ペン収納装置は、収納装置の一例である。本明細書開示の収納装置は、ペン形状の棒状体を好適に収納することができる。ペン形状の棒状体は、その使用形態として、使用者が片手で把持して使用することが想定される。例えば、ボールペンやマーカー等の文房具、電子装置に対するペン型入力装置、タッチペン等を被収納体とすることができる。また、ポインタ等、ペン以外のものを被収納体とすることもできる。
【００１１】
（実施形態）
まず、図１を参照して本実施形態のペン収納装置１が組み込まれた電子装置について説明する。図１に示す電子装置は、板状の本体の表面側に広範囲に亘ってタッチパネル式ディスプレイを装備した端末、すなわち、スレートＰＣ（Personal Computer）１０と、このスレートＰＣ１０に接続されたキーボードドック２０を備えている。ペン収納装置１は、このキーボードドック２０の筐体内に収納されている。ペン収納装置１は、スレートＰＣ１０側の筐体に収納してもよい。ペン収納装置１によって筐体内に収納されるペンは、スレートＰＣ１０に対する入力機器である。ペンは被収納体に相当する。
【００１２】
ペン収納装置１は、他の電子装置、例えば、ラップトップパソコン、ノート型パソコン、携帯型ゲーム等の筐体に組み込むこともできる。また、電子機器以外の装置の筐体に組み込むことができる。
【００１３】
図２は、キーボードドック２０の分解図である。図２を参照すると、キーボードドック２０は、キーボード２１ａ、タッチパッド２１ｂ及びクリックキー２１ｃを備えたアッパーカバー２１と、このアッパーカバー２１と組み合わされて筐体を形成するロアカバー２２を備えている。ペン収納装置１は、このようにアッパーカバー２１とロアカバー２２とが組み合わされて形成される筐体内に配置される。
【００１４】
図３はペン収納装置１が組み込まれたキーボードドック（電子装置）２０のアッパーカバー２１を取り外した状態を示す説明図である。すなわち、図３は、ロアカバー２２内の様子を示している。図３は、ペン２がペン収納部２２ｂに収納された状態を示している。ペン収納部２２ｂは、被収納体収納部に相当する。このような図３を図２とともに参照すると、ロアカバー２２内には、キーボードドック２０の使用時に使用者が位置する手前側の縁部２２ａの内側にペン収納部２２ｂが設けられている。また、ロアカバー２２の手前側の向かって右側の角部には、被収納体挿入口に相当するペン挿入口２３が設けられている。ロアカバー２２内の縁部２２ａとペン収納部２２ｂとの間には、第１支持部２４と第２支持部２５が設けられている。第１支持部２４と第２支持部２５は、キーボードドック２０の長手方向に沿って並列させて配置されている。第１支持部２４と第２支持部２５は、それぞれ、挿通孔２４ａ、挿通孔２５ａを備え、後述する移動部材３０が備えるシャフト部３０ｄを摺動自在に支持する。ロアカバー２２ａ内には、第３支持部２６が設けられている。第３支持部２６は、ペン挿入口２３からキーボードック２０の短手方向奥側に位置している。第３支持部２６は、挿通孔２６ａを備え、後述する保持部材３５が備えるシャフト部３５ｃを摺動自在に支持する。
【００１５】
ここで、図４を参照して、移動部材３０について詳細に説明する。図４（Ａ）は、移動部材３０の平面図、図４（Ｂ）は移動部材３０の左側面図、図４（Ｃ）は移動部材３０の右側面図である。図４（Ｄ）は移動部材３０の背面図、図４（Ｅ）は移動部材３０の正面図、図４（Ｆ）は移動部材３０の底面図である。移動部材３０は、筐体を形成するロアカバー２２内にペン２の収納方向及び排出方向に移動可能に配置される。移動部材３０は、先端部に被収納体係合部に相当するペン係合部３０ａを備える。このペン係合部３０ａは、キャップ状の形状を有し、テーパ状に成形されたペン２の先端部２ａと係合する。ペン係合部３０ａの中心軸線はペン２の軸線ＡＸ１と一致する。移動部材３０は、収納方向及び排出方向に沿って延びる連接部３０ｂを備える。この連接部３０ｂの一端部には、ペン係合部３０ａが設けられ、他端部には、鍔状部３０ｃが設けられている。鍔状部３０ｃには、収納方向及び排出方向に沿って延びるシャフト部３０ｄが設けられている。このシャフト部３０ｄの軸線はペン２の軸線ＡＸ１とは異なるＡＸ２である。シャフト部３０ｄは、鍔状部３０ｃを貫通する状態に設けられている。すなわち、シャフト部３０ｄは、鍔状部３０ｃから収納方向に向かって延びる収納側部３０ｄ１と排出方向に向かって延びる排出側部３０ｄ２とを備える。移動部材３０は、ペン係合部３０ａ、連接部３０ｂ、鍔状部３０ｃ及びシャフト部３０ｄが一体に設けられている。
【００１６】
このような移動部材３０は、図３を参照すると、シャフト部３０ｄを第１支持部２４及び第２支持部２５に支持させてロアカバー２２内に収納方向及び排出方向にスライド可能に装着される。具体的に、移動部材３０は、シャフト部３０ｄの収納側部３０ｄ１を第１支持部２４に設けられた挿通孔２４ａに挿通させ、排出側部３０ｄ２を第２支持部２５に設けられた挿通孔２５ａに挿通させてロアカバー２２内に装着される。これにより、シャフト部３０ｄは、ロアカバー２２内のペン収納部２ｂよりも縁部２２ａ側に配置される。このとき、第１支持部２４と鍔状部３０ｃとの間には第１弾性部材に相当する第１スプリング３１が挟持される。第１スプリング３１は、移動部材３０をペン２の排出方向に付勢する。この第１スプリング３１は、シャフト部３ｄの収納側部３０ｄ１に同心状に被せたコイルスプリングである。すなわち、第１スプリング３１は、ペン収納部２２ｂの側方に配置されている。第１スプリング３１の軸線はＡＸ２であり、第１スプリング３１は、ペン２の軸線ＡＸ１とずらして配置されている。なお、第１スプリング３１は、コイルスプリングに限定されない。第１弾性部材は、移動部材３０を排出方向に付勢することができるものであれば、例えば、板バネ等であってもよい。また、第１スプリング３１は、圧縮されることによって移動部材３０を排出方向に付勢するが、引っ張り力によって移動部材３０を排出方向に付勢するように配置することもできる。なお、移動部材３０は、鍔状部３０ｃと第２支持部２５が当接する状態となるまで排出側へ移動することができる。すなわち、鍔状部３０ｃは、移動部材３０の移動のストッパとしての機能も有する。
【００１７】
つぎに、図５を参照して、保持部材３５について詳細に説明する。図５（Ａ）は、保持部材３５の平面図、図５（Ｂ）は保持部材３５の左側面図、図５（Ｃ）は保持部材３５の右側面図である。図５（Ｄ）は保持部材３５の背面図、図５（Ｅ）は保持部材３５の正面図、図５（Ｆ）は保持部材３５の底面図である。保持部材３５は、筐体を形成するロアカバー２２に設けられたペン挿入口２３の周囲にペン挿入口の２３の開口径を変化させるようにスライド可能に配置される。保持部材３５は、操作部３５ａを備える。操作部３５ａは、保持部材３５を操作してペン２を排出するときに使用者が指をかける部分である。保持部材３５は、鍔状部３５ｂを備える。鍔状部３５ｂには、シャフト部３５ｃが設けられている。また、保持部材３５は、当接部３５ｄを備える。当接部３５ｄは、後に詳述するようにペン挿入口２３に臨む位置に配置される。当接部３５ｄには、押し当て面３５ｄ１と係合面３５ｄ２が設けられている。押し当て面３５ｄ１は、ペン収納部ｂに向かって挿入されるペン２が押し当てられる面である。ペン２がこの押し当て面３５ｄ１に押し当てられつつ収納側へ押し込まれことによって保持部材３５がペン挿入口２３の開口径を拡径する方向に移動する。押し当て面３５ｄ１は、保持部材３５がロアカバー２２に装着されたときに、ロアカバー２２の底面側に向かうに従って、また、ロアカバー２２の外側に向かうに従って径が拡がる傾斜面として形成されている。係合面３５ｄ２は、ペン収納部ｂに収納されたペン２の後端部に当接してペン２をペン収納部２３内に保持する。保持部材３５は、操作部３５ａと鍔状部３５ｂとの間に形成された係合溝３５ｅを備えている。保持部材３５は、操作部３５ａ、鍔状部３５ｂ、シャフト部３５ｃ及び当接部３５ｄが一体に設けられている。
【００１８】
このような保持部材３５は、図３を参照すると、ロアカバー２２に設けられたペン挿入口２３の近傍にスライド可能に装着される。具体的に、保持部材３５は、シャフト部３５ｃを第３支持部２６に支持させるとともに、係合溝３５ｅをロアカバー２２内に設けられたリブ２７に係合させてロアカバー２２にスライド可能に装着される。シャフト部３５ｃは、第３支持部２６に設けられた挿通孔２６ａに挿通される。このとき、第３支持部２６と鍔状部３５ｂとの間には第２弾性部材に相当する第２スプリング３６が挟持される。第２スプリング３６は、保持部材３５をペン挿入口２３の開口径を狭める方向へ付勢する。この第２スプリング３６は、シャフト部３５ｃに同心状に被せたコイルスプリングである。なお、第２スプリング３６は、コイルスプリングに限定されない。第２弾性部材は、保持部材３５を、開口径を狭める方向に付勢できるものであれば、例えば、板バネ等であってもよい。また、第２スプリング３６は、圧縮されることによって保持部材３５を、開口径を狭める方向に付勢するが、引っ張り力によって保持部材３５を、開口径を狭める方向に付勢するように配置することもできる。
【００１９】
以上のようにロアカバー２２に移動部材３０及び保持部材３５を装着した後は、図６（Ａ）、（Ｂ）に示すようにロアカバー２２上にアッパーカバー２１が装着される。図６（Ｂ）を参照すると、保持部材３５の操作部３５ａは、キーボードドック２０の外側に露出している。アッパーカバー２１が装着されることにより、移動部材３０のシャフト部３０ｄを軸とした回転が抑制される。
【００２０】
図７は、図６（Ａ）におけるＡ−Ａ線断面図である。また、図８（Ａ）は図６（Ａ）におけるＢ−Ｂ線断面図であり、図８（Ｂ）は図８（Ａ）における円で囲んだ部分を拡大して示した図である。図７を参照すると、ロアカバー２２内には、アッパーカバー２１に設けられたクリックキー２１ｃを支持するクリックキー支持部４０が設けられている。このクリックキー支持部４０は、ペン収納部２２ｂに収納されたペン２の先端部２ａのすぐ奥側に位置している。このため、ペン２の先端部、すなわち、ペン収納部２２ｂよりも奥側に第１弾性部材に相当する部材を配置することは困難である。このように、ペン収納部２２ｂの奥側に構造物や、部品が存在する場合でも、本実施形態のペン収納装置１であれば、第１スプリング３１は、ペン収納部２２ｂの側方に配置され、ロアカバー２２内に収納することができる。また、本実施形態のペン収納装置１の第１スプリング３１は、移動部材３０に対して付勢力を発揮している。すなわち、第１スプリング３１は、ペン２に直接当接する構成ではない。仮に、被収納体であるペン２の先端部に第１スプリング３１が当接し、ペン２が押し込まれることによって第１スプリング３１が圧縮されるとすると、第１スプリング３１が変形してしまい、ペン２の排出動作に支障をきたす可能性がある。特に、ペン２は、使用者によってペン収納部２２ｂ内に挿入されるものであるため、斜めに押し込まれたり、必要以上に押し込まれたりすることも想定される。このような操作が繰り返し行われると、第１スプリング３１は変形し易くなる。これに対し、本実施形態のペン収納装置１では、第１スプリング３１は、第１支持部２４と鍔状部３０ｃとの間に挟持され、しかも、シャフト部３０ｄに同心状に被せた状態で装着されているので、変形が生じにくく、安定的な動作を維持し易い。また、シャフト部３０ｄ及び第１スプリング３１の軸線ＡＸ２は、ペン２の軸線ＡＸ１と平行であるので、ペン２のスムーズな挿入動作、排出動作を妨げることがない。
【００２１】
図３や、図８（Ａ）及び（Ｂ）を参照すると、ロアカバー２２の縁部２２ａは、端縁に向かうに従って内部空間が狭くなっている。シャフト部３０ｄ、第１スプリング３１は、このような縁部２２ａの空間内に配置されている。本実施形態のペン収納装置１では、このように、狭い空間内にシャフト部３０ｄ、第１スプリング３１を配置し、効率的にロアカバー２２内の空間を利用することができている。
【００２２】
つぎに、図９（Ａ）及び（Ｂ）を参照して、ペン収納装置１にペン２を収納する様子及びペン２を排出する様子について説明する。
【００２３】
まず、ペン収納部２２ｂにペン２が収納されていない状態のとき、保持部材３５は、第２スプリング３６に付勢されて、ペン挿入口２３の開口径を狭めた状態となっている。移動部材３０は第１スプリング３１に付勢されて排出方向へ移動した状態となっている。このとき、鍔状部３０ｃと第２支持部２５とが当接した状態となっている。使用者は、このような状態の保持部材３５の当接部３５にペン２の先端部２ａを押し当てつつ、ペン２をペン収納部２２ｂへ向かって押し込む。すると、保持部材３５は、第２スプリング３６を圧縮しつつ、矢示５１で示すようにペン挿入口２３の開口径を拡径する方向に移動する。使用者がペン２をさらに押し込むと、ペン２の先端部２ａがペン係合部３０ａと係合する。ペン係合部３０ａがペン２の先端部２ａと係合した移動部材３０は、ペン２の押し込み動作に伴って第１スプリング３１を圧縮しつつ奥側に移動する。押し込まれたペン２の後端部２ｂが保持部材３５の当接部３５ｄよりも奥側に位置するようになると、図９（Ａ）に示すように保持部材３５は、第２スプリング３６の付勢力によってペン挿入口２３の開口径を狭める方向に移動する。そして、係合面３５ｄ２がペン２の後端面に係合し、ペン２がペン収納部２２ｂ内に保持される。
【００２４】
一方、ペン２を排出するとき、使用者は、操作部３５ａへ指を添え、保持部材３５を矢示５１で示す方向、すなわち、ペン挿入口２３の開口径を拡径する方向に移動させる。すると、ペン２の後端部２ｂと保持部材３５との係合が解除される。このとき、移動部材３０は、圧縮された第１スプリング３１によって排出方向に付勢されている。このため、移動部材３０は、矢示５２で示す方向に移動する。これに伴って、先端部２ａがペン係合部３０ａと係合したペン２も矢示５２で示した排出方向に移動する。ペン２の後端部２ｂがペン挿入口２３から露出するようになれば、使用者は、ペン２の後端部を摘んでペン２を取り出すことができる。
【００２５】
以上のような本実施形態のペン収納装置１の特徴を纏めると以下の如くである。まず、第１スプリング３１をペン２の軸線ＡＸ１とずらして配置している。具体的に、第１スプリング３１をペン収納部２２ｂの側方に、ペン２の軸線ＡＸ１と異なる軸線ＡＸ２上に配置したので、ペン収納部２２ｂの奥側の状態にかかわらずペン収納装置１をロアカバー２２（筐体）内に配置することができる。移動部材３０に含まれるシャフト部３０ｄ及び第１スプリング３１は、ロアカバー２２（筐体）内の狭小スペースにも配置することができるため、配置が容易である。
【００２６】
また、第１スプリング３１は、ペン２が直接当接して圧縮されることがなく、移動部材３０を介してペン２を排出するため、変形しにくく、安定的な動作を維持し易い。
【００２７】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００２８】
１  ペン収納装置        ２  ペン                ２ａ  先端部
２ｂ  後端部          １０  スレートＰＣ      ２０  キーボードドック
２１  アッパーカバー  ２１ａ  キーボード      ２１ｂ  タッチパッド
２１ｃ  クリックキー  ２２  ロアカバー        ２２ａ  縁部
２２ｂ  ペン収納部    ２３  ペン挿入口        ２４  第１支持部
２４ａ  挿通孔        ２５  第２支持部        ２５ａ  挿通孔
２６  第３支持部      ２６ａ  挿通孔          ２７  リブ
３０  移動部材        ３０ａ  ペン係合部      ３０ｂ  連接部
３０ｃ  鍔状部        ３０ｄ  シャフト部      ３１  第１スプリング
３５  保持部材        ３５ａ  操作部          ３５ｂ  鍔状部
３５ｃ  シャフト部    ３５ｄ  当接部        ３５ｄ１  押し当て面
３５ｂ２  係合面      ３５ｅ  係合溝        ３６  第２スプリング
４０  クリックキー支持部
【図１】
2014016718.tif 000003
【図２】
2014016718.tif 000004
【図３】
2014016718.tif 000005
【図４】
2014016718.tif 000006
【図５】
2014016718.tif 000007
【図６】
2014016718.tif 000008
【図７】
2014016718.tif 000009
【図８】
2014016718.tif 000010
【図９】
2014016718.tif 000011